(57)【特許請求の範囲】
【請求項１】
樹脂製の壁や天井若しくは床面等を形成するパネル材の表面に適宜の幅で凹部を設け、
表面及び裏面の全体に亙りそれぞれに規則的に等間隔に溝及びリブを設け、
前記表面の凹部を平滑に形成するとともに、凹部以外の表面にエンボス加工を施し、
この平滑な凹部に剥離自在のテープ部材を貼着し、
このテープ部材としては凹部内に丁度貼着して納まる幅寸法に形成され、かつ貼着後に端部から手で剥がせるボーダテープ又はシールを使用したことを特徴とする浴室等のパネル材。
【請求項２】
バスユニットに使用されることを特徴とする請求項１に記載の浴室等のパネル材。
【発明の詳細な説明】
【０００１】
【発明の属する技術分野】
この発明は、浴室や洗面所等に使用するパネル材に係り、特にそのパネル材のインテリア性を高めることができる浴室等のパネル材に関するものである。
【０００２】
【従来の技術】
例えば、居室では、壁紙を張り替えて内装を一新することがしばしばおこなわれている。この壁紙の他にも、例えばドア、窓、タイル壁等に張り付けてインテリア性を高めるためのテープやシールなどが開発され使用されている。
また特に、浴室のタイル部分の壁面に貼着させてたのしむことができるシール等も普及してきている。
【０００３】
【発明が解決しようとする課題】
しかしながら、このようなシールやテープにあっては、タイル部分等の平滑面に貼着させるものであり、例えばユニットバスの樹脂製の壁面等には微小な凹凸が形成されているから、多くの場合、張りつけ難かったり、張り付けられない。また、一時的にうまく張り付けられたとしても、時間の経過とともにシールやテープの周辺部分の隙間から剥がれ出し易く、またその隙間部分から汚れて黒ずんでくることが多い。
【０００４】
そこで、この発明は、上記した事情に鑑み、ボーダテープやシール等のテープ部材を樹脂製の壁でも簡単確実に貼着さることができるとともに、長期間に亙り放置していても剥離しにくく、しかも簡単に剥して他のものとの交換が容易な浴室等のパネル材を提供することを目的とするものである。
【０００５】
【課題を解決するための手段】
即ちこの請求項１の発明は、樹脂製の壁や天井若しくは床面等を形成するパネル材の表面に適宜の幅で凹部を設け、表面及び裏面の全体に亙りそれぞれに規則的に等間隔に溝及びリブを設け、前記表面の凹部を平滑に形成するとともに、凹部以外の表面にエンボス加工を施し、この平滑な凹部に剥離自在のテープ部材を貼着し、このテープ部材としては凹部内に丁度貼着して納まる幅寸法に形成され、かつ貼着後に端部から手で剥がせるボーダテープ又はシールを使用したものである。
【０００６】
また、請求項２に記載の発明は、請求項１に記載のパネル材がバスユニットに使用されるものである。
【０００７】
【発明の実施の形態】
以下この発明について添付図面を参照しながら説明する。
図１は、この発明に係る浴室等のパネル材を示すものであり、この実施例のパネル材は、プラスチック樹脂で形成されてバスユニットの一部を構成しており、図２に示すように、浴室の壁面１及び浴槽Ｂを一部埋設してあるエプロン部分の壁面２に適用されている。
【０００８】
この実施例の壁面１には、図２に示すように、表面及び裏面の全体に亙りそれぞれ規則的に等間隔に設けた溝１Ａ及びリブ１Ｂの他に、平滑な凹部１Ｃが表面に形成してある。この壁面１の表面には僅かな凹凸を形成したエンボス（梨）加工が施されており、装飾性（インテリア性）を高めてある。また、この表面側の凹部１Ｃは、テープ部材３を貼着させるために溝１Ａよりも幅広に形成されているとともに表面部分の微細な凹凸をなくして平滑に形成されており、この凹部１Ｃには剥離自在のテープ部材３が貼着される。なお、この実施例の凹部１Ｃは、一定間隔で水平向きに複数条のものが互いに平行に形成されている。
【０００９】
この実施例の壁（エプロン）面２についても、先の壁面１と同様の構成となっており、表面には，微細な凹凸を形成したエンボス加工が施されているとともに、壁面２のほぼ中央部には、凹凸がなく密着性を高めたテープ部材３を貼着させるために同一幅の凹部２Ｃが施されている。
【００１０】
テープ部材３には、凹部１Ｃ及び２Ｃ内に丁度張りつけて納まる幅寸法に形成されたボーダテープ（シールでもよい）等が使用されており、このボーダテープには各種の柄、例えばこの実施例では、花、小鳥、山、貝、幾何学模様、抽象模様等の各種図形が描かれており、平滑な凹部２Ｃ上にただ張りつけるだけで、しっかりと密着状態に貼着させることができる。また、このテープ部材３は、端部から手で剥がすだけで簡単に凹部２Ｃから取り外すことができる。また、このテープ部材として、各種着色された柄のない長尺状のテープであってもよいし、正方形や長方形或いは各種の形に形成された短尺状のテープでもよい。
【００１１】
従って、この実施例によれば、各壁面の同一高さ位置には凹部１Ｃ及び２Ｃが形成されており、この凹部１Ｃ及び２Ｃに、長尺状のテープ部材３を端から端まで水平に貼着させていくだけで、簡単に浴室のインテリア性を高めることができる。例えば、テープ部材３として、明るい色の模様のものを使用すれば、浴室内部の雰囲気が明るくなり、また花等の模様のものを使用すれば、浴室内部が華やかな雰囲気となる。また、山や貝等の模様のものを使用すれば、リゾート気分にひたることができる。
【００１２】
なお、この実施例では、テープ部材３を端から端まで水平向きに貼着させたが、その貼着位置は例えば図３及び図４に示すように、凹部が形成されているところであればどこでも自由に貼着させることができる。
【００１３】
また、この発明のパネル材の凹部の形成態様としては、鉛直（縦）方向に形成したり市松模様に形成したりしてもよい。また、この発明では、この他に、例えば図５に示すように、パネル材の表面側に格子状に形成された溝部４で挟まれた領域に、適宜の配置で、即ち斜め向きに凹部５（斜線で示す）を形成してもよいし、図６に示すように何らかの規則性を持たせて形成してもよい。また、アトランダムに散発的に形成してもよい。
【００１４】
またこの発明では、このように形成された凹部に対して、テープ部材を適宜所望の箇所に貼着させるようにしてもよいし、全ての凹部に貼着させてもよい。さらに、この実施例では、浴室用のパネル材として使用してあるが、この他に例えば脱衣室用のパネル材として、或いはトイレ用のパネル材として使用する等、幅広い分野へ適用可能である。
【００１５】
【発明の効果】
以上説明してきたように、この発明によれば、樹脂製の壁や天井若しくは床面等に、適宜の幅で凹部を設けるとともに、その凹部を平滑に形成したので、この凹部を利用して各種の模様や色のテープが自由に、しかも剥がれにくく貼着させることができるようになるから、使用者の好みに合わせて、いつでも誰でも簡単に取り外して別のものと交換するといったことも可能となり、浴室などのリフォームを安く行うことができ、経済的にも好都合で実用的である。
【図面の簡単な説明】
【図１】この発明の浴室等用のパネル材を使用したバスユニットを示す説明図。
【図２】図１のパネル材の断面図。
【図３】変形例を示す説明図。
【図４】変形例を示す説明図。
【図５】この発明に係るパネル材の凹部の配置状態を示す説明図。
【図６】凹部の他の配置状態を示す説明図。
【符号の説明】
１  壁面
２  壁（エプロン）面
３  テープ部材
１Ａ，２Ａ，４  溝
１Ｃ，２Ｃ，５  凹部
【図１】
0004034427.tif 000002
【図２】
0004034427.tif 000003
【図３】
0004034427.tif 000004
【図４】
0004034427.tif 000005
【図５】
0004034427.tif 000006
【図６】
0004034427.tif 000007